(57)【特許請求の範囲】
【請求項１】
ユーザの顔部をカバーするためのものであり、
二つの主体片と、二つの折畳み部と、主遮蔽片と、を含み、
前記主体片、前記折畳み部及び前記主遮蔽片は、横方向に沿って延び、その両端がそれぞれ第１の端及び第２の端とされ、前記主体片と前記折畳み部と前記主遮蔽片とは、前記第１の端が互いに重なり、前記第２の端が互いに重なり、前記第１の端と前記第２の端との重なり箇所で圧着部がそれぞれ形成され、
二つの前記主体片は、ホールドアップ方向に沿って配列され、前記ホールドアップ方向は前記横方向に垂直し、二つの前記主体片はユーザの顔部に当接可能であり、
二つの前記折畳み部は、前記主体片と前記主遮蔽片との間に位置し、前記主体片と前記主遮蔽片とを連接し、互いに連接する少なくとも三つの折畳み片を有し、
前記主体片に粘着層が設けられており、前記粘着層により、ユーザの顔部に前記主体片を粘着可能であり、
折畳み状態にあるときには、二つの前記主体片が互いに隣接し、前記各折畳み片が互いに重なり、展開状態にあるときには、二つの前記主体片が、前記横方向の中央から互いに離れ、前記各折畳み片が、展開されて互いに重ならない状態となり、立体的な構造となり、
耳かけループを有さないことを特徴とする、
マスク。
【請求項２】
前記折畳み片は、三つあり、順序に連接する、第１の折畳み片と、第２の折畳み片と、第３の折畳み片と、から構成され、前記第１の折畳み片は前記主体片と連接し、前記第１の折畳み片と前記主体片との連接箇所では、第１の折り目が形成され、前記第１の折畳み片と前記第２の折畳み片との連接箇所では、第２の折り目が形成され、前記第２の折畳み片と前記第３の折畳み片との連接箇所では、第３の折り目が形成され、前記第３の折畳み片は前記主遮蔽片と連接し、前記第３の折畳み片と前記主遮蔽片との連接箇所では、第４の折り目が形成され、折畳み状態にあるときに、前記第１の折畳み片、前記第２の折畳み片及び前記第３の折畳み片は、それぞれ前記ホールドアップ方向に沿って延び、立体方向に沿って平行に配列され、前記立体方向は、前記横方向と前記ホールドアップ方向とに垂直し、展開状態にあるときに、前記第１の折畳み片、前記第２の折畳み片及び前記第３の折畳み片は、展開されて全体が立体的な構造になることを特徴とする、請求項１に記載のマスク。
【請求項３】
前記第１の折り目と前記第３の折り目との折り方向は同じであり、前記第２の折り目と前記第４の折り目との折り方向は同じであることを特徴とする、請求項２に記載のマスク。
【請求項４】
ユーザの顔部をカバーするためのものであり、
二つの主体片と、二つの折畳み部と、主遮蔽片と、を含み、
前記主体片、前記折畳み部及び前記主遮蔽片は、横方向に沿って延び、その両端がそれぞれ第１の端及び第２の端とされ、前記主体片と前記折畳み部と前記主遮蔽片とは、前記第１の端が互いに重なり、前記第２の端が互いに重なり、前記第１の端と前記第２の端との重なり箇所で圧着部がそれぞれ形成され、前記主体片と前記折畳み部と前記主遮蔽片とは、連続する立体折り目を有し、
二つの前記主体片は、ホールドアップ方向に沿って配列され、前記ホールドアップ方向は前記横方向に垂直し、二つの前記主体片はユーザの顔部に当接可能であり、
二つの前記折畳み部は、前記主体片と前記主遮蔽片との間に位置し、前記主体片と前記主遮蔽片とを連接し、互いに連接する少なくとも三つの折畳み片を有し、
前記主遮蔽片の前記ホールドアップ方向に沿う両端は、折畳み部とそれぞれ連接し、
前記主体片に粘着層が設けられており、前記粘着層により、ユーザの顔部に前記主体片を粘着可能であり、
折畳み状態にあるときには、二つの前記主体片が互いに隣接し、前記各折畳み片が互いに重なり、展開状態にあるときには、二つの前記主体片が、前記横方向の中央から互いに離れ、前記第１の端と前記第２の端とが互いに重なり、前記各折畳み片が、展開されて互いに重ならない状態となり、立体的な構造となり、
耳かけループを有さないことを特徴とする、
マスク。
【請求項５】
前記折畳み片は、三つあり、順序に連接する、第１の折畳み片と、第２の折畳み片と、第３の折畳み片と、から構成され、前記第１の折畳み片は前記主体片と連接し、前記第１の折畳み片と前記主体片との連接箇所では、第１の折り目が形成され、前記第１の折畳み片と前記第２の折畳み片との連接箇所では、第２の折り目が形成され、前記第２の折畳み片と前記第３の折畳み片との連接箇所では、第３の折り目が形成され、前記第３の折畳み片は前記主遮蔽片と連接し、前記第３の折畳み片と前記主遮蔽片との連接箇所では、第４の折り目が形成され、前記立体折り目は、互いに連接する、主立体折り目と、第１の立体折り目と、第２の立体折り目と、第３の立体折り目と、サブ立体折り目と、を含み、前記主立体折り目は二つの前記主体片に位置し、前記第１の立体折り目は前記第１の折畳み片に位置し、前記第２の立体折り目は前記第２の折畳み片に位置し、前記第３の立体折り目は前記第３の折畳み片に位置し、前記サブ立体折り目は前記主遮蔽片に位置し、折畳み状態にあるときに、前記第１の折畳み片、前記第２の折畳み片及び前記第３の折畳み片は、それぞれ前記ホールドアップ方向に沿って延び、立体方向に沿って平行に配列され、前記立体方向は、前記横方向と前記ホールドアップ方向とに垂直し、展開状態にあるときに、前記第１の折畳み片、前記第２の折畳み片及び前記第３の折畳み片は、展開されて全体が立体的な構造になることを特徴とする、請求項４に記載のマスク。
【請求項６】
前記主立体折り目と前記第２の立体折り目と前記サブ立体折り目との折り方向は、同じであり、第１の折り方向とし、前記第１の立体折り目と前記第３の立体折り目との折り方向は、同じであり、第２の折り方向とし、前記マスクが折畳み状態にあるときに、前記第１の折り方向と前記第２の折り方向とは互いに反対し、前記マスクが展開状態にあるときに、前記第１の折り方向と前記第２の折り方向とは同じであることを特徴とする、請求項５に記載のマスク。
【請求項７】
前記粘着層は、二つの前記主体片の周囲と前記圧着部とに環設されていることを特徴とする、請求項１又は請求項４に記載のマスク。
【請求項８】
前記圧着部は、長手辺と、短手辺と、前記長手辺と前記短手辺とを連接する二つの斜め辺と、を含み、前記圧着部は台形を呈することを特徴とする、請求項１から請求項６の何れか１項に記載のマスク。
【請求項９】
前記圧着部は、短手辺と、前記短手辺の両端を連接する二つの斜め辺と、から構成されることを特徴とする、請求項１から請求項６の何れか１項に記載のマスク。
【請求項１０】
前記第１の端と前記第２の端とには、逃げ穴がそれぞれ設けられていることを特徴とする、請求項１から請求項６の何れか１項に記載のマスク。
【発明の詳細な説明】
【技術分野】
【０００１】
本発明は、マスクに関し、特に、マスクを、折畳み可能にし、立体的に支持可能にする折り目を有するマスクに関するものである。
【背景技術】
【０００２】
従来の折畳み式マスクは、折り目の折畳み方式及び折畳み方向が同じであり、折り目が互いに平行する。そしてこのようなマスクは、ユーザの耳に掛けるため、本体の両端に弾性付きバンドが設けられている。しかしながら、これには次のような欠点がある。
【０００３】
（１）折り目の折畳み方式及び折畳み方向が同じであり、折り目が互いに平行するため、マスクが展開される場合には、立体的な構造が各折り目に制限され、支持力が不足する。
【０００４】
（２）折り目の折畳み方式及び折畳み方向が同じであり、折り目が互いに平行するため、マスクが展開される場合には、各折り目の突出する支持部が整列しないことにより、支持力が集中せず、マスクを折畳むときには、マスクがスムーズにならない。
【０００５】
（３）従来の折畳み式マスクは、ユーザの耳に掛け可能なため、マスクを展開してユーザの耳に掛ける場合には、弾性付きバンドによる引っぱりにより、マスクの両端に円弧状の開口が形成され、マスクの密封効果及び隔離効果が降下する。
【発明の概要】
【発明が解決しようとする課題】
【０００６】
本発明の主な目的は、マスクが展開されるときの支持力及び立体感を増加可能なマスクを提供することにある。
【０００７】
本発明の次の目的は、マスクを折畳みたいときに、マスクを迅速でスムーズに折畳み可能であり、収納に便利なマスクを提供することにある。
【０００８】
本発明の別の目的は、マスクの使用時の密封効果及び隔離効果を増加可能であり、空気に含むホコリなどを有効にろ過可能となるマスクを提供することにある。
【課題を解決するための手段】
【０００９】
本発明のマスクは、ユーザの顔部をカバーするためのものであり、二つの主体片と、二つの折畳み部と、主遮蔽片と、を含み、主体片、折畳み部及び主遮蔽片は、横方向に沿って延び、その両端がそれぞれ第１の端及び第２の端とされ、主体片と折畳み部と主遮蔽片とは、第１の端が互いに重なり、第２の端が互いに重なり、第１の端と第２の端との重なり箇所で圧着部がそれぞれ形成され、二つの主体片は、ホールドアップ方向に沿って配列され、ホールドアップ方向は横方向に垂直し、二つの主体片はユーザの顔部に当接可能であり、二つの折畳み部は、主体片と主遮蔽片との間に位置し、主体片と主遮蔽片とを連接し、互いに連接する少なくとも三つの折畳み片を有し、主体片に粘着層が設けられており、粘着層により、ユーザの顔部に主体片を粘着可能であり、折畳み状態にあるときには、二つの主体片が互いに隣接し、各折畳み片が互いに重なり、展開状態にあるときには、二つの主体片が、横方向の中央から互いに離れ、第１の端と第２の端とが互いに重なり、各折畳み片が、展開されて互いに重ならない状態となり、立体的な構造となることを特徴とする。
【００１０】
本発明のマスクは、折畳み片は、三つあり、順序に連接する、第１の折畳み片と、第２の折畳み片と、第３の折畳み片と、から構成され、第１の折畳み片は主体片と連接し、第１の折畳み片と主体片との連接箇所では、第１の折り目が形成され、第１の折畳み片と第２の折畳み片との連接箇所では、第２の折り目が形成され、第２の折畳み片と第３の折畳み片との連接箇所では、第３の折り目が形成され、第３の折畳み片は主遮蔽片と連接し、第３の折畳み片と主遮蔽片との連接箇所では、第４の折り目が形成され、折畳み状態にあるときに、第１の折畳み片、第２の折畳み片及び第３の折畳み片は、それぞれホールドアップ方向に沿って延び、立体方向に沿って平行に配列され、立体方向は、横方向とホールドアップ方向とに垂直し、展開状態にあるときに、第１の折畳み片、第２の折畳み片及び第３の折畳み片は、展開されて全体が立体的な構造になることを特徴とする。
【００１１】
本発明のマスクは、第１の折り目と第３の折り目との折り方向は同じであり、第２の折り目と第４の折り目との折り方向は同じであることを特徴とする。
【００１２】
本発明のマスクは、ユーザの顔部をカバーするためのものであり、二つの主体片と、二つの折畳み部と、主遮蔽片と、を含み、主体片、折畳み部及び主遮蔽片は、横方向に沿って延び、その両端がそれぞれ第１の端及び第２の端とされ、主体片と折畳み部と主遮蔽片とは、第１の端が互いに重なり、第２の端が互いに重なり、第１の端と第２の端との重なり箇所で圧着部がそれぞれ形成され、主体片と折畳み部と主遮蔽片とは、一貫な立体折り目を有し、二つの主体片は、ホールドアップ方向に沿って配列され、ホールドアップ方向は横方向に垂直し、二つの主体片はユーザの顔部に当接可能であり、二つの折畳み部は、主体片と主遮蔽片との間に位置し、主体片と主遮蔽片とを連接し、互いに連接する少なくとも三つの折畳み片を有し、主遮蔽片のホールドアップ方向に沿う両端は、折畳み部とそれぞれ連接し、主体片に粘着層が設けられており、粘着層により、ユーザの顔部に主体片を粘着可能であり、折畳み状態にあるときには、二つの主体片が互いに隣接し、各折畳み片が互いに重なり、展開状態にあるときには、二つの主体片が、横方向の中央から互いに離れ、第１の端と第２の端とが互いに重なり、各折畳み片が、展開されて互いに重ならない状態となり、立体的な構造となることを特徴とする。
【００１３】
本発明のマスクは、折畳み片は、三つあり、順序に連接する、第１の折畳み片と、第２の折畳み片と、第３の折畳み片と、から構成され、第１の折畳み片は主体片と連接し、第１の折畳み片と主体片との連接箇所では、第１の折り目が形成され、第１の折畳み片と第２の折畳み片との連接箇所では、第２の折り目が形成され、第２の折畳み片と第３の折畳み片との連接箇所では、第３の折り目が形成され、第３の折畳み片は主遮蔽片と連接し、第３の折畳み片と主遮蔽片との連接箇所では、第４の折り目が形成され、立体折り目は、互いに連接する、主立体折り目と、第１の立体折り目と、第２の立体折り目と、第３の立体折り目と、サブ立体折り目と、を含み、主立体折り目は二つの主体片に位置し、第１の立体折り目は第１の折畳み片に位置し、第２の立体折り目は第２の折畳み片に位置し、第３の立体折り目は第３の折畳み片に位置し、サブ立体折り目は主遮蔽片に位置し、折畳み状態にあるときに、第１の折畳み片、第２の折畳み片及び第３の折畳み片は、それぞれホールドアップ方向に沿って延び、立体方向に沿って平行に配列され、立体方向は、横方向とホールドアップ方向とに垂直し、展開状態にあるときに、第１の折畳み片、第２の折畳み片及び第３の折畳み片は、展開されて全体が立体的な構造になることを特徴とする。
【００１４】
本発明のマスクは、主立体折り目と第２の立体折り目とサブ立体折り目との折り方向は、同じであり、第１の折り方向とし、第１の立体折り目と第３の立体折り目との折り方向は、同じであり、第２の折り方向とし、マスクが折畳み状態にあるときに、第１の折り方向と第２の折り方向とは互いに反対し、マスクが展開状態にあるときに、第１の折り方向と第２の折り方向とは同じであることを特徴とする。
【００１５】
本発明のマスクは、粘着層は、二つの主体片の周囲と圧着部とに環設されていることを特徴とする。
【００１６】
本発明のマスクは、圧着部は、長手辺と、短手辺と、長手辺と短手辺とを連接する二つの斜め辺と、を含み、圧着部は台形を呈することを特徴とする。
【００１７】
本発明のマスクは、圧着部は、短手辺と、短手辺の両端を連接する二つの斜め辺と、から構成されることを特徴とする。
【００１８】
本発明のマスクは、第１の端と第２の端とには、逃げ穴がそれぞれ設けられていることを特徴とする。
【発明の効果】
【００１９】
本発明のマスクには、次のような効果がある。
（１）マスクが展開されるときの支持力及び立体感を増加することが可能である。
【００２０】
（２）マスクを折畳みたいときに、マスクを迅速でスムーズに折畳み可能であり、収納が便利である。
【００２１】
（３）マスクの使用時の密封効果及び隔離効果を増加可能であり、空気に含むホコリなどを有効にろ過可能である。
【図面の簡単な説明】
【００２２】
【図１】本発明の第１の実施形態に係るマスクの折畳み状態を示す斜視図である。
【図２】本発明の第１の実施形態に係るマスクの折畳み状態を示す斜視図である。
【図３】本発明の第１の実施形態に係るマスクの折畳み状態を示す斜視図である。
【図４】本発明の第１の実施形態に係るマスクの折畳み状態を示す断面図である。
【図５】本発明の第１の実施形態に係るマスクの展開状態を示す斜視図である。
【図６】図５における６−６線の断面図である。
【図７】図５における７−７線の断面図である。
【図８】本発明の第１の実施形態に係るマスクの使用状態を示す模式図である。
【図９】本発明の第２の実施形態に係るマスクの折畳み状態を示す上面図である。
【図１０】本発明の第２の実施形態に係るマスクの折畳み状態を示す断面図である。
【図１１】本発明の第２の実施形態に係るマスクの展開状態を示す上面図である。
【図１２】本発明の第３の実施形態に係るマスクの折畳み状態を示す上面図である。
【図１３】本発明の第４の実施形態に係るマスクの折畳み状態を示す上面図である。
【図１４】本発明の第５の実施形態に係るマスクの折畳み状態を示す上面図である。
【発明を実施するための形態】
【００２３】
以下、本発明の実施の形態を図面に基づいて説明する。
【００２４】
（第１の実施形態）
本実施形態に係るマスクＳは、ユーザの顔部をカバーするためのものであり、二つの主体片１０と、二つの折畳み部２０と、主遮蔽片３０と、を含む。
主体片１０、折畳み部２０及び主遮蔽片３０は、横方向Ｘに沿って延び、その両端がそれぞれ第１の端１０Ａ，２０Ａ，３０Ａ及び第２の端１０Ｂ，２０Ｂ，３０Ｂとされる。主体片１０と折畳み部２０と主遮蔽片３０とは、第１の端１０Ａ，２０Ａ，３０Ａが互いに重なって結合し、第２の端１０Ｂ，２０Ｂ，３０Ｂが互いに重なって結合する。第１の端１０Ａ，２０Ａ，３０Ａと第２の端１０Ｂ，２０Ｂ，３０Ｂとの重なり箇所で圧着部Ｐがそれぞれ形成される。
圧着部Ｐは、図１２に示すように、ある幅を有する。圧着部Ｐは、長手辺Ｐ１と、短手辺Ｐ２と、長手辺Ｐ１と短手辺Ｐ２とを連接する二つの斜め辺Ｐ３と、を含む。これにより、圧着部Ｐは台形を呈する。図１３に示すように、圧着部Ｐは、短手辺Ｐ２と、短手辺Ｐ２の両端を連接する二つの斜め辺Ｐ３と、から構成されることが好ましい。
【００２５】
主体片１０は、二つあり、ホールドアップ方向Ｙに沿って配列される。ホールドアップ方向Ｙは横方向Ｘに垂直する。二つの主体片１０は、ホールドアップ方向Ｙに沿って隣接する対応辺１０１をそれぞれ有し、ユーザの顔部に当接可能である。
【００２６】
折畳み部２０は、二つあり、主体片１０と主遮蔽片３０との間に位置し、主体片１０と主遮蔽片３０とを連接する。折畳み部２０は、第１の連接辺２０Ｉと、第２の連接辺２０Ｊと、をそれぞれ有する。第１の連接辺２０Ｉは、主体片１０の対応辺１０１を連接する。折畳み部２０は、互いに連接する少なくとも三つの折畳み片２００を有する。
本実施形態では、折畳み片２００は、三つあり、順序に連接する、第１の折畳み片２０１と、第２の折畳み片２０２と、第３の折畳み片２０３と、から構成される。第１の連接辺２０Ｉは第１の折畳み片２０１に位置する。第１の折畳み片２０１は主体片１０と連接する。第１の折畳み片２０１と主体片１０との連接箇所では、第１の折り目Ｕ１が形成される。第１の折畳み片２０１と第２の折畳み片２０２との連接箇所では、第２の折り目Ｕ２が形成される。第２の折畳み片２０２と第３の折畳み片２０３との連接箇所では、第３の折り目Ｕ３が形成される。第３の折畳み片２０３と第２の折畳み片２０２との別の連接箇所は、第２の連接辺２０Ｊである。第３の折畳み片２０３は主遮蔽片３０と連接する。第３の折畳み片２０３と主遮蔽片３０との連接箇所では、第４の折り目Ｕ４が形成される。第１の折り目Ｕ１と第３の折り目Ｕ３との折り方向は同じである。第２の折り目Ｕ２と第４の折り目Ｕ４との折り方向は同じである。
【００２７】
マスクＳが折畳み状態にあるときに、図４に示すように、第１の折畳み片２０１、第２の折畳み片２０２及び第３の折畳み片２０３は、それぞれホールドアップ方向Ｙに沿って延び、立体方向Ｚに沿って平行に配列される。立体方向Ｚは、横方向Ｘとホールドアップ方向Ｙとに垂直する。
【００２８】
マスクＳが展開状態にあるときに、図５に示すように、第１の折畳み片２０１、第２の折畳み片２０２及び第３の折畳み片２０３は、展開されてマスクＳ全体が立体的な構造になる。
【００２９】
主遮蔽片３０は一つある。主遮蔽片３０のホールドアップ方向Ｙに沿う両端は、二つの折畳み部２０の第３の折畳み片２０３の第２連接辺２０Ｊとそれぞれ連接する。
【００３０】
粘着層４０は、二つの主体片１０の対応辺１０１から離れる一端に位置する。粘着層４０は、図２に示すように、横方向Ｘに沿って設けられ、二つの主体片１０のユーザの顔部に接触する側に位置する。粘着層４０は、図３に示すように、二つの主体片１０の周囲と圧着部Ｐとに環設されていることが好ましい。
【００３１】
上記の説明から明らかなように、本実施形態に係るマスクＳは、順序に連接する、主体片１０と、第１の折畳み片２０１と、第２の折畳み片２０２と、第３の折畳み片２０３と、主遮蔽片３０と、第３の折畳み片２０３と、第２の折畳み片２０２と、第１の折畳み片２０１と、主体片１０と、から構成される。
【００３２】
（第２の実施形態）
本実施形態に係るマスクＳは、図９から図１１に示すように、更に、立体折り目Ｌを有する。立体折り目Ｌは、マスクＳの横方向Ｘの中央に位置し、ホールドアップ方向Ｙに沿って延びる。立体折り目Ｌは、互いに連接する、主立体折り目Ｌ１と、第１の立体折り目Ｌ２と、第２の立体折り目Ｌ３と、第３の立体折り目Ｌ４と、サブ立体折り目Ｌ５と、を含む。主立体折り目Ｌ１は二つの主体片１０に位置する。第１の立体折り目Ｌ２は第１の折畳み片２０１に位置する。第２の立体折り目Ｌ３は第２の折畳み片２０２に位置する。第３の立体折り目Ｌ４は第３の折畳み片２０３に位置する。サブ立体折り目Ｌ５は主遮蔽片３０に位置する。
主立体折り目Ｌ１と第２の立体折り目Ｌ３とサブ立体折り目Ｌ５との折り方向は、同じであり、第１の折り方向とする。第１の立体折り目Ｌ２と第３の立体折り目Ｌ４との折り方向は、同じであり、第２の折り方向とする。マスクＳが折畳み状態にあるときに、前記第１の折り方向と前記第２の折り方向とは互いに反対する。マスクＳが展開状態にあるときに、前記第１の折り方向と前記第２の折り方向とは同じである。立体折り目Ｌは、一貫に延びるため、マスクＳが展開状態にあるときに、主立体折り目Ｌ１と、第１の立体折り目Ｌ２と、第２の立体折り目Ｌ３と、第３の立体折り目Ｌ４と、サブ立体折り目Ｌ５とが互いに連接して円弧線を形成する。これにより、支持力が立体折り目Ｌに集中して、マスクＳを支持する支持力が増加する。
【００３３】
（第５の実施形態）
本実施形態に係るマスクＳは、図１４に示すように、第１の端１０Ａ，２０Ａ，３０Ａと第２の端１０Ｂ，２０Ｂ，３０Ｂとには、逃げ穴Ｒがそれぞれ設けられている。本実施形態に係るマスクＳが展開状態にあるときに、二つの逃げ穴Ｒの両側にある部分は、逃げ穴Ｒに進入して互いに重なる。これにより、主体片１０と折畳み部２０との第１の端１０Ａ，２０Ａ，３０Ａと第２の端１０Ｂ，２０Ｂ，３０Ｂとに位置する連接箇所で、皺が形成されて隙間を形成することを回避可能である。このように、マスクＳ全体の密封性を増加可能である。
【００３４】
上記の説明から明らかなように、本実施形態に係るマスクＳは、主遮蔽片３０と二つの主体片１０とに二つの折畳み部２０をそれぞれ連接することにより、折畳み部２０が少なくとも三つの折畳み片２００を有するため、マスクＳを使用したいときに、各折畳み片２００が展開されて立体的な構造になる。これにより、マスクＳは、より良い支持力及び立体感を得ることが可能である。
【００３５】
主遮蔽片３０と主体片１０と折畳み部２０とから、一貫な立体折り目Ｌが形成されるため、展開状態にあるマスクＳは、支持力が更に集中する。
【００３６】
第１の端１０Ａ，２０Ａ，３０Ａと第２の端１０Ｂ，２０Ｂ，３０Ｂとには、逃げ穴Ｒがそれぞれ設けられているため、マスクＳが展開状態にあるときに、主体片１０と折畳み部２０との第１の端１０Ａ，２０Ａ，３０Ａと第２の端１０Ｂ，２０Ｂ，３０Ｂとに位置する連接箇所で、皺が形成されて隙間を形成することを回避可能である。これにより、マスクＳ全体の密封性を増加可能である。
【００３７】
本発明は、マスクに適用することができる。
【符号の説明】
【００３８】
１０  主体片
１０Ａ，２０Ａ，３０Ａ  第１の端
１０Ｂ，２０Ｂ，３０Ｂ  第２の端
２０  折畳み部
２０Ｉ  第１の連接辺
２０Ｊ  第２の連接辺
３０  主遮蔽片
４０  粘着層
１０１  対応辺
２００  折畳み片
２０１  第１の折畳み片
２０２  第２の折畳み片
２０３  第３の折畳み片
Ｐ  圧着部
Ｐ１  長手辺
Ｐ２  短手辺
Ｐ３  斜め辺
Ｌ  立体折り目
Ｌ１  主立体折り目
Ｌ２  第１の立体折り目
Ｌ３  第２の立体折り目
Ｌ４  第３の立体折り目
Ｌ５  サブ立体折り目
Ｒ  逃げ穴
Ｓ  マスク
Ｕ１  第１の折り目
Ｕ２  第２の折り目
Ｕ３  第３の折り目
Ｕ４  第４の折り目
Ｘ  横方向
Ｙ  ホールドアップ方向
Ｚ  立体方向
【図１】
0006284578.tif 000002
【図２】
0006284578.tif 000003
【図３】
0006284578.tif 000004
【図４】
0006284578.tif 000005
【図５】
0006284578.tif 000006
【図６】
0006284578.tif 000007
【図７】
0006284578.tif 000008
【図８】
0006284578.tif 000009
【図９】
0006284578.tif 000010
【図１０】
0006284578.tif 000011
【図１１】
0006284578.tif 000012
【図１２】
0006284578.tif 000013
【図１３】
0006284578.tif 000014
【図１４】
0006284578.tif 000015